(57)【要約】  【課題】自動販売機において、分別廃棄・リサイクルの為に、板状断熱材を取り外す際、筺体の内側に取付けられている板状断熱材は、シール材にて接着されており、かつ、隙を最小にしている状態で、はめ込まれているので、非常に外しにくくなっている。  【解決手段】本発明の自動販売機は、商品収納棚１２ａ〜１２ｄに板状断熱材１３ａ〜１３ｐを貼り付けるものであり、分別廃棄・リサイクルに際して、商品収納棚を引き出せば、板状断熱材も同時に引き出すことができる。また、また、接着材を使わずに、ビス１４により板状断熱材１３ａ〜１３ｐを取り付けるものであることから、板状断熱材１３ａ〜１３ｐをはがすとき、貼り付け面に断熱材の破片が残ることも無く、板状断熱材１３ａ〜１３ｐの取り外しも容易にできるので、分別のための時間や労力を短縮できるものである。【選択図】図１
2006244109.tif 000002
【特許請求の範囲】
【請求項１】
前面が開口した筐体と、前記筐体内に設置され商品を収納する複数の商品収納棚と、前記筐体と前記複数の商品収納棚の間に板状断熱材を備え、前記板状断熱材は各々の商品収納棚の上面、側面、底面および背面の少なくとも１面に取り付けて、前記筐体内に設置したことを特徴とする自動販売機。
【請求項２】
前面が開口した筐体と、前記筐体内に設置され商品を収納する複数の商品収納棚と、前記筐体と前記複数の商品収納棚の間に板状断熱材を備え、前記複数の商品収納棚の上面、底面および背面に対応する前記板状断熱材は前記筐体に予め取り付けられ、各々の商品収納棚の側面に対応する前記板状断熱材は予め前記商品収納棚の側面に取り付けて前記筐体内に設置したことを特徴とする自動販売機。
【請求項３】
商品収容棚への板状断熱材の取付けを、ビス止め、または、カシメによる固定としたことを特徴とする請求項１または２に記載の自動販売機。
【発明の詳細な説明】
【技術分野】
【０００１】
本発明は、自動販売機の断熱材の組立て構造に関するものである。
【背景技術】
【０００２】
従来、自動販売機においては、商品収納棚を収納する筺体内の収容スペースと、筺体外部とを断熱するため、筺体の内側に板状断熱材を組み合わせてはめ込んでいる。また、熱ロスを少なくする為に、それぞれの板状断熱材の継ぎ目をシール材等にてふさいでいる（例えば、特許文献１参照）。
【０００３】
図３は、従来の自動販売機の板状断熱材の組立て構造を示す分解斜視図である。
【０００４】
以下、図３を参照しながら、従来の自動販売機について説明する。
【０００５】
筺体１は、前面が開口しており、仕切板２により商品収納部３と機械室４に分けられている。商品収納部３の各壁面及び商品収納部３を更に仕切るために、板状断熱材５ａ〜５ｇが組み込まれている。この場合計３部屋に分割されることになる。またさらに、分割された部分に、商品収納棚６ａ〜６ｄが組み込まれている。商品収納部３の前面外周には、保持板７が設けられており、各板状断熱材の前端を保持している。機械室４には、図示しない冷却加温装置等が設置され、商品収納部３の分割された各部分が、冷却または加温される。また、各板状断熱材は、熱ロスを少なくする為に、隙を最小にしていると共に、板状断熱材の継ぎ目部には、シール材等により隙を埋めている。
【特許文献１】特開平１１−２０３５４９号公報
【発明の開示】
【発明が解決しようとする課題】
【０００６】
しかしながら、前記従来の構成では、分別廃棄・リサイクルの為に、板状断熱材５ａ〜５ｇを取り外す際、非常に取り外しにくくなっている。つまり、板状断熱材５ａ〜５ｇを取り外すためには、まず、商品収納棚６ａ〜６ｄを取り外してから板状断熱材５ａ〜５ｇを取り外す必要がある。さらに、これらの板状断熱材５ａ〜５ｇは、シール材にて接着されており、かつ、隙を最小にしている状態で、はめ込まれているので、非常に外しにくくなっている。
【０００７】
通常、板状断熱材５ａ〜５ｇは発泡ウレタン等が多く使われており、特にウレタンを発泡するための発泡剤としては、フロンや可燃性ガスが使われている。自動販売機の廃棄処分に際し、筐体１や商品収納棚６ａ〜６ｄと共に板状断熱材５ａ〜５ｇが、粉砕処理されてしまう場合、ウレタンの発泡剤としてのガスであるフロンや可燃性ガスが放出されてしまう。フロンの大気放出による環境問題または可燃性ガス放出での安全の面や、金属と樹脂材料であるウレタンとの分別の必要性からも、板状断熱材は自動販売機より取り除き、金属である筐体１とは別に処理する必要がある。このような背景がある中、従来の板状断熱材は、非常に外しにくくなっている。
【０００８】
本発明は、上記従来の課題を解決するもので、板状断熱材の取り外しを容易にするものである。
【課題を解決するための手段】
【０００９】
前記従来の課題を解決するために、本発明の自動販売機は、筺体の内側に板状断熱材を貼り付けるのではなく、商品収納棚に板状断熱材を貼り付けるものであり、また、接着材を使わずに、板状断熱材を取り付けるものである。
【発明の効果】
【００１０】
本発明の自動販売機は、商品収納棚に板状断熱材を貼り付けるものであり、また、接着材を使わずに、板状断熱材を取り付けるものであることから、分別廃棄・リサイクルに際して、商品収納棚を引き出せば、板状断熱材も同時に引き出すことができる。また、接着材にて貼り付けられていないので、板状断熱材をはがすとき、貼り付け面に断熱材の破片が残ることも無く、板状断熱材の取り外しも容易にできるので、分別のための時間や労力を短縮できるものである。
【発明を実施するための最良の形態】
【００１１】
第１の発明は、前面が開口した筐体と、前記筐体内に設置され商品を収納する複数の商品収納棚と、前記筐体と前記複数の商品収納棚の間に板状断熱材を備え、前記板状断熱材は各々の商品収納棚の上面、側面、底面および背面の少なくとも１面に取り付けて、前記筐体内に設置したので商品収納棚を引き出せば、板状断熱材も同時に引き出すことができ、解体や分別の効率化を図ることができる。
【００１２】
第２の発明は、商品収納棚を構成している２枚の側板を板状断熱材としたことにより、商品収納棚を引き出せば板状断熱材を取出すことができ、分別廃棄・リサイクルに際して、板状断熱材の取り外しが容易になるものであるとともに、従来側板を構成していた部品を廃止することができ、コストの削減にもなる。また単一の商品収納棚ごとに冷温切替え設定が可能になり必要に応じて、温めたり、冷やしたりできるので販売効率を高めることができる。
【００１３】
第３の発明は、商品収納棚に板状断熱材をビスにて取り付けたことにより、商品収納棚を引き出せば板状断熱材を取出すことができ、分別廃棄・リサイクルに際して、板状断熱材の取り外しが容易になるものである。
【００１４】
以下、本発明による自動販売機の実施の形態について、図面を参照しながら説明する。なお、本実施の形態によって本発明が限定されるものではない。
【００１５】
（実施の形態１）
図１は、本発明の実施の形態１による自動販売機の板状断熱材の組立て構造を示す分解斜視図である。
【００１６】
図１において、筺体８は、前面が開口しており、仕切板９により商品収納部１０と機械室１１に分けられている。商品収納棚１２ａの天面、背面、右側面、下面には板状断熱材１３ａ〜１３ｄが複数のビス１４にて固定されている。同様に商品収納棚１２ｂの天面、背面、底面に板状断熱材１３ｅ〜１３ｇが固定され、商品収納棚１２ｃの天面、背面、右側面、底面に板状断熱材１３ｈ〜１３ｋが固定され、商品収納棚１２ｄの天面、背面、右側面、左側面、底面に板状断熱材１３ｌ〜１３ｐが固定されている。この場合板状断熱板の配置から、計３部屋に分割されることになる。機械室１１には、図示しない冷却加温装置等が設置され、商品収納部３の分割された各部分が、冷却または加温される。
【００１７】
以上のように構成された自動販売機において、分別廃棄・リサイクルの為に、板状断熱材１３ａ〜１３ｐを取り外す場合、商品収納棚１２ａ〜１２ｄをそれぞれ前へ引き出す。当然それに伴い板状断熱材１３ａ〜１３ｐも筺体８から引き出すことになる。その後、複数のビス１４を外せば、容易に板状断熱材１３ａ〜１３ｐを取り外すことができる。また、一般に板状断熱材は力をかければ割れることから、ビス１４を外さなくても、ビス１４が付いたまま板状断熱材１３ａ〜１３ｐを引き剥がせば、割れながら取り外すことができる。リサイクルの為の分別であることから、割れることは問題にはならないので、ビス１４が付いたまま、引き剥がすことにより、更に、分別の時間が短くできる。
【００１８】
ビスの代わりに、商品収納棚を構成しているピンや細いパイプを板状断熱材まで貫通させ、それらのピンや細いパイプの先端を曲げたカシメ加工により、板状断熱材を固定することも可能である。この場合も同様に、カシメ加工が施されたまま、板状断熱材を引き剥がせば、割れながら板状断熱材を取り外すことができる。
【００１９】
以上のように本実施の形態の自動販売機は、商品収納棚に板状断熱材をビスにて取り付けたことにより、商品収納棚を引き出せば板状断熱材を取出すことができ、分別廃棄・リサイクルに際して、板状断熱材の取り外しが容易になるものである。
【００２０】
（実施の形態２）
図２は、本発明の実施の形態２における自動販売機の商品収納棚の斜視図である。
【００２１】
図２において、板状断熱材１５ａ、１５ｂは、商品収納棚１６を形成するための側板の機能を果たし、複数の支持パイプ１７が貫通し、商品収納棚１６を構成する部品を保持している。支持パイプ１７の先端は、花びら状に開いた加工が施され、板状断熱材１５ａ、１５ｂが抜けない状態になっている。また、板状断熱材１５ｃ、１５ｄ、１５ｅは、商品収納棚１６の天面、背面、底面にそれぞれ、複数のビス１８によって固定されている。このように構成された商品収納棚１６は、複数個筺体８に収納されている。
【００２２】
以上のように構成された自動販売機において、分別廃棄・リサイクルの為に、板状断熱材１５ａ〜１５ｅを取り外す場合、複数個の商品収納棚１６をそれぞれ前へ引き出す。当然それに伴い板状断熱材１５ｃ〜１５ｅも筺体８から引き出すことになる。その後、ビス１７を外せば、天面、背面、底面の板状断熱材を容易に取り外すことができる。板状断熱材は力をかければ割れることから、ビス１７を外さなくても、ビス１７が付いたまま板状断熱材１５ｃ〜１５ｅを引き剥がせば、割れながら取り外すことができる。側面の板状断熱材１５ａ、１５ｂも引き剥がすと、割れながら取り外すことができる。リサイクルの為の分別であることから、割れることは問題にはならないので、ビス１４が付いたまま、引き剥がすことにより、更に、分別の時間が短くできる。
【００２３】
また、商品収納棚１６の天面、背面、底面に対応する板状断熱材１５ｃ、１５ｄ、１５ｅを予め筐体８に取付け、商品収納棚１６の側面を形成する板状断熱材１５ａ、１５ｂのみを予め商品収納棚１６の側部に設置した状態で筐体８に取り付けることにより、従来必要であった金属製の側板が不要になり、コストの削減につながる。
【００２４】
またさらに、従来の自動販売機においては、商品を温めたり冷やしたりするために商品収納部３を板状断熱材により分割して、それぞれの部屋を加温、または、冷却していたが、商品収納棚が複数ある部屋の場合、その部屋全体を温めたり、冷やしたりする必要があり、個別の自由な対応ができなかった。しかし、本実施の形態の場合、商品収納棚の側板自体が板状断熱材となっているため、各商品収納棚１６を独立して断熱形成することができ、単一の商品収納棚ごとに冷温切替え設定が可能になり必要に応じて、温めたり、冷やしたりできるので販売効率を高めることができる。
【００２５】
以上のように本実施の形態は、商品収納棚の側板を板状断熱材としたことにより、商品収納棚を引き出せば板状断熱材を取出すことができ、分別廃棄・リサイクルに際して、板状断熱材の取り外しが容易になるものである。
【００２６】
また、従来の側板が不要となり、コストの削減になる。
【００２７】
またさらに、温めたり冷やしたりの対応が商品収納棚毎にできるので、必要に応じて自由な対応ができる。
【産業上の利用可能性】
【００２８】
以上のように、本発明にかかる自動販売機は、板状断熱材を商品収容棚に取付けたものであるので、自動販売機に限らず、板状断熱材を用いるさまざまな産業機器に適応できる。
【図面の簡単な説明】
【００２９】
【図１】本発明による自動販売機の実施の形態１の板状断熱材の組立て構造を示す分解斜視図
【図２】本発明による自動販売機の実施の形態２の商品収納棚の斜視図
【図３】従来の自動販売機の板状断熱材の組立て構造を示す分解斜視図
【符号の説明】
【００３０】
１２ａ，１２ｂ，１２ｃ，１２ｄ  商品収納棚
１３ａ，１３ｂ，１３ｃ，１３ｄ，１３ｅ，１３ｆ，１３ｇ，１３ｈ，１３ｉ，１３Ｊ，１３ｋ，１３ｌ，１３ｍ，１３ｎ，１３ｏ，１３ｐ  板状断熱材
１４  ビス
１５ａ，１５ｂ，１５ｃ，１５ｄ，１５ｅ  板状断熱材
１６  商品収納棚
１８  ビス
【図１】
2006244109.tif 000003
【図２】
2006244109.tif 000004
【図３】
2006244109.tif 000005